(57)【要約】【課題】簡単な構成で部屋の内部の圧力を保持することができる室内圧力保持システムを提供することにある。【解決手段】室内圧力保持システムであって、部屋の外部の空気を部屋の内部に第１流量の空気を給気する給気手段と、部屋の内部の空気を部屋の外部に第１流量とは異なる第２流量の空気を排出する排気手段と、第１流量と第２流量のうち、少ないほうの流量と同じ方向のみに空気を流通させる逆止ダンパと、部屋の内部と、部屋の外部とを連通させる開閉部と、を有する。逆止ダンパは、部屋の壁面に固定されたケーシングと、ケーシングに設置され、部屋の内部の圧力と部屋の外部の圧力との圧力差に応じて、排出する空気の量が変化する流量調整機構と、を備える。【選択図】図１
2014119128.tif 000002
【特許請求の範囲】
【請求項１】
部屋の内部の圧力を保持する圧力保持システムであって、
前記部屋の外部の空気を前記部屋の内部に第１流量の空気を給気する給気手段と、
前記部屋の内部の空気を前記部屋の外部に前記第１流量とは異なる第２流量の空気を排出する排気手段と、
前記第１流量と前記第２流量のうち、少ないほうの流量と同じ方向のみに空気を流通させる逆止ダンパと、
前記部屋の内部と、前記部屋の外部とを連通させる開閉部と、を有し、
前記逆止ダンパは、前記部屋の壁面に固定されたケーシングと、前記ケーシングに設置され、前記部屋の内部の圧力と前記部屋の外部の圧力との圧力差に応じて、排出する空気の量が変化する流量調整機構と、を備えることを特徴とする室内圧力保持システム。
【請求項２】
前記第１流量は、前記第２流量よりも流量が多く、
前記逆止ダンパは、前記部屋の内部の空気を前記部屋の外部に排出する方向のみに空気を排出させ、前記部屋の内部の圧力を前記部屋の外部の圧力よりも高く維持することを特徴とする請求項１に記載の室内圧力保持システム。
【請求項３】
前記第１流量は、前記第２流量よりも流量が少なく、
前記逆止ダンパは、前記部屋の外部を前記部屋の内部の空気に排出する方向のみに空気を排出させ、前記部屋の外部の圧力を前記部屋の内部の圧力よりも高く維持することを特徴とする請求項１に記載の室内圧力保持システム。
【請求項４】
前記給気手段及び前記排気手段は、予め設定された一定の条件で駆動されることを特徴とする請求項１から３のいずれか一項に記載の室内圧力保持システム。
【請求項５】
前記逆止ダンパは、前記圧力差が大きくなると前記排出する空気の量が多くなり、前記圧力差が小さくなると前記排出する空気の量が少なくなることを特徴とする請求項１から４のいずれか一項に記載の室内圧力保持システム。
【請求項６】
前記流量調整機構は、前記ケーシング内に配置され、前記ケーシングを塞ぐ位置から、前記空気の流通する方向のみに移動する羽根と、
前記羽根を支持し、前記羽根の回転軸となるシャフトと、
前記シャフトを軸とした回転のモーメントのバランスが調整されることで、前記ケーシング内を流れる空気に対する前記羽根の抵抗が調整される圧力差調整部と、を有し、
前記羽根の角度が変化して排出される空気の量が変化することで、前記圧力差を前記圧力差調整部で設定した圧力差に維持することを特徴とする請求項１から５のいずれか一項に記載の室内圧力保持システム。
【請求項７】
前記圧力差調整部は、前記シャフトに固定された板状部材と、
前記板状部材に着脱可能な錘と、を有し、
前記板状部材に設置した前記錘の重量及び位置で、前記回転のモーメントを調整することを特徴とする請求項６に記載の室内圧力保持システム。
【請求項８】
前記圧力差調整部は、圧力差を調整する機構が、前記部屋の内部に配置されていることを特徴とする請求項６または７に記載の室内圧力保持システム。
【発明の詳細な説明】
【技術分野】
【０００１】
本発明は、部屋の内部の圧力と部屋の外部の圧力との関係を保持する室内圧力保持システムに関する。
【背景技術】
【０００２】
クリーンルームや周囲が汚染されている可能性がある部屋等の外部から空気が進入しない状態を維持することが求められる部屋がある。このような部屋は、部屋の内部の圧力を部屋の外部の圧力よりも高く維持する空調システムを設けることで、外部からの空気の進入を抑制している。
【０００３】
例えば、特許文献１には、高清浄度域（クリーンルーム）に空気調和機及び排気・循環ファンで給気を行い、排気・循環ファンで排気を行うことで、クリーンルーム内を陽圧に維持する装置が記載されている。また、高清浄度域に隣接した中清浄度域（クリーンルーム）に排気ダクトまたは排気口内に重錘式またはバネ式の逆止・調圧ダンパを儲け、排気・循環ファンによる排気に背圧がかかるようにする構成が記載されている。
【先行技術文献】
【特許文献】
【０００４】
【特許文献１】特開昭６２−１３１１２８号公報
【発明の概要】
【発明が解決しようとする課題】
【０００５】
特許文献１に記載の装置は、排気・循環ファンの排気風量を調整することで、クリーンルーム内の圧力を正圧に維持している。ここで、排気・循環ファンの排気風量を調整する場合、調整の基準となる条件を検出するために圧力センサや、制御を実行するための制御部を設けることになり、装置が複雑化する。
【０００６】
本発明は、上記に鑑みてなされたものであって、簡単な構成で部屋の内部の圧力を保持することができる室内圧力保持システムを提供することにある。
【課題を解決するための手段】
【０００７】
上述した課題を解決するための本発明は、部屋の内部の圧力を保持する圧力保持システムであって、前記部屋の外部の空気を前記部屋の内部に第１流量の空気を給気する給気手段と、前記部屋の内部の空気を前記部屋の外部に前記第１流量とは異なる第２流量の空気を排出する排気手段と、前記第１流量と前記第２流量のうち、少ないほうの流量と同じ方向のみに空気を流通させる逆止ダンパと、前記部屋の内部と、前記部屋の外部とを連通させる開閉部と、を有し、前記逆止ダンパは、前記部屋の壁面に固定されたケーシングと、前記ケーシングに設置され、前記部屋の内部の圧力と前記部屋の外部の圧力との圧力差に応じて、排出する空気の量が変化する流量調整機構と、を備えることを特徴とする。
【０００８】
ここで、前記第１流量は、前記第２流量よりも流量が多く、前記逆止ダンパは、前記部屋の内部の空気を前記部屋の外部に排出する方向のみに空気を排出させ、前記部屋の内部の圧力を前記部屋の外部の圧力よりも高く維持することが好ましい。
【０００９】
または、前記第１流量は、前記第２流量よりも流量が少なく、前記逆止ダンパは、前記部屋の外部を前記部屋の内部の空気に排出する方向のみに空気を排出させ、前記部屋の外部の圧力を前記部屋の内部の圧力よりも高く維持することも好ましい。
【００１０】
また、前記給気手段及び前記排気手段は、予め設定された一定の条件で駆動されることが好ましい。
【００１１】
また、前記逆止ダンパは、前記圧力差が大きくなると前記排出する空気の量が多くなり、前記圧力差が小さくなると前記排出する空気の量が少なくなることが好ましい。
【００１２】
また、前記流量調整機構は、前記ケーシング内に配置され、前記ケーシングを塞ぐ位置から、前記空気の流通する方向のみに移動する羽根と、前記羽根を支持し、前記羽根の回転軸となるシャフトと、前記シャフトを軸とした回転のモーメントのバランスが調整されることで、前記ケーシング内を流れる空気に対する前記羽根の抵抗が調整される圧力差調整部と、を有し、前記羽根の角度が変化して排出される空気の量が変化することで、前記圧力差を前記圧力差調整部で設定した圧力差に維持することが好ましい。
【００１３】
また、前記圧力差調整部は、前記シャフトに固定された板状部材と、前記板状部材に着脱可能な錘と、を有し、前記板状部材に設置した前記錘の重量及び位置で、前記回転のモーメントを調整することが好ましい。
【００１４】
また、前記圧力差調整部は、圧力差を調整する機構が、前記部屋の内部に配置されていることが好ましい。
【発明の効果】
【００１５】
本発明によれば、簡単な構成で部屋の内部の圧力を保持することができるという効果を奏する。
【図面の簡単な説明】
【００１６】
【図１】図１は、本実施形態の室内圧力保持システムが設置された部屋の概略構成を示す模式図である。
【図２】図２は、図１に示す逆止ダンパの概略構成を示す模式図である。
【図３】図３は、図１に示す逆止ダンパの概略構成を示す斜視図である。
【発明を実施するための形態】
【００１７】
以下、この発明につき図面を参照しつつ詳細に説明する。なお、この実施例によりこの発明が限定されるものではない。また、下記実施例における構成要素には、当業者が容易に想定できるもの、あるいは実質的に同一のものが含まれる。
【００１８】
図１は、本実施形態の室内圧力保持システムが設置された部屋の概略構成を示す模式図である。図１に示すように、室内圧力保持システム１０は、部屋１２に設置されている。本実施形態の部屋１２は、室内空間２０の圧力を室外空間２４の圧力よりも高く維持する必要がある部屋である。室内空間２０は、部屋１２の内部、つまり部屋１２の内側の空間である。室外空間２４は、部屋１２の外部、つまり部屋１２の外側の空間である。部屋１２としては、原子力設備（例えば加圧水型原子炉プラント）の人間が居住する部屋（例えば免振重要棟、中央制御室）や、クリーンルーム等が例示される。部屋１２は、壁１２ａと床１２ｂと天井１２ｃで囲まれている。以下では、部屋１２の壁１２ａと床１２ｂと天井１２ｃで囲まれた内部の閉じられた空間を室内空間２０とし、部屋１２の外側の領域を室外空間２４とする。部屋１２は、壁１２ａの一部に開閉可能な扉１２ｄが配置されている。なお、扉１２ｄは、１個に限定されず、部屋１２に複数個に設けてもよい。部屋１２は、扉１２ｄが開かれることで、室内空間２０と室外空間２４が繋がった状態となる。また、部屋１２は、開かれた扉１２ｄに加え、室内圧力保持システム１０に設けられた各部で室内空間２０と室外空間２４との間で空気が流通するが、これら以外の部分では、室内空間２０と室外空間２４との間が流通しない。
【００１９】
室内圧力保持システム１０は、室内空間２０の圧力を室外空間２４の圧力よりも高く保持する、いわゆる部屋１２を正圧に保持するシステムであり、給気手段１４と、排気手段１６と、逆止ダンパ１８と、を有する。
【００２０】
給気手段１４は、給気送風機（送風機）３０と、給気口３２と、配管３４と、逆止弁３６と、を有する。給気送風機３０は、ファン、ブロア等であり、室内空間２０に配置されている。給気口３２は、壁１２ａに形成された開口であり、室内空間２０と室外空間２４とを連通させている。配管３４は、給気送風機３０と給気口３２とを接続する配管である。逆止弁３６は、配管３４の給気口３２と給気送風機３０との間に配置され、配管３４の空気が一方向のみに流れるように規制する弁である。具体的には、逆止弁３６は、配管３４内の空気が給気口３２から給気送風機３０に向けてのみ流れるように空気の流れを規制している。つまり、逆止弁３６は、給気送風機３０から給気口３２に向けて空気が流れないように空気の流れを規制している。
【００２１】
給気手段１４は、給気送風機３０を駆動し、配管３４内の空気を室内空間２０に排出することで、室外空間２４の空気を給気口３２から配管３４に流入させ、配管３４に流入した空気を室内空間２０に排出する空気の流れを形成し、室外空間２４の空気を室内空間２０に供給する。給気手段１４が室内空間２０に給気する給気空気７０の流量は、給気送風機３０の流量に対応する。また、給気手段１４は、逆止弁３６を設けることで空気が逆流し、室内空間２０の空気が配管３４及び給気口３２から室外空間２４に排出されることを抑制している。
【００２２】
排気手段１６は、排気送風機（排風機）４０と、排気口４２と、配管４４と、逆止弁４６と、を有する。排気送風機４０は、ファン、ブロア等であり、室内空間２０に配置されている。排気口４２は、壁１２ａに形成された開口であり、室内空間２０と室外空間２４とを連通させている。配管４４は、排気送風機４０と排気口４２とを接続する配管である。逆止弁４６は、配管４４の排気口４２と排気送風機４０との間に配置され、配管４４の空気が一方向のみに流れるように規制する弁である。具体的には、逆止弁４６は、配管４４内の空気が排気送風機４０から排気口４２に向けてのみ流れるように空気の流れを規制している。つまり、逆止弁４６は、排気口４２から排気送風機４０に向けて空気が流れないように空気の流れを規制している。
【００２３】
排気手段１６は、排気送風機４０を駆動し、配管４４内の空気を室外空間２４に排出することで、室内空間２０の空気を配管４４に流入させ、配管４４に流入した空気を排気口４２から室外空間２４に排出する空気の流れを形成し、室内空間２０の空気を室外空間２４に排出する。排気手段１６が室外空間２４に排出する排出空気７２の流量は、給気送風機３０の流量に対応する。また、排気手段１６は、逆止弁４６を設けることで空気が逆流し、室外空間２４の空気が配管４４及び排気口４２から室内空間２０に流入することを抑制している。
【００２４】
ここで、本実施形態の室内圧力保持システム１０は、給気手段１４の給気空気７０の流量（第１流量）をＸ１とし、排気手段１６の排出空気７２の流量（第２流量）をＸ２とした場合、流量Ｘ１と流量Ｘ２の関係は、Ｘ２＜Ｘ１となる。つまり、給気手段１４の給気空気７０の流量Ｘ１が、排気手段１６の排出空気７２の流量Ｘ２よりも多くなる。
【００２５】
逆止ダンパ１８は、壁１２ａに設置されている。逆止ダンパ１８は、室内空間２０の空気を室外空間２４に排出する方向のみ空気を排出する。つまり逆止ダンパ１８は、逆止ダンパ１８を介して室外空間２４の空気が室内空間２０に流入することを抑制する構成である。逆止ダンパ１８が、室外空間２４に排出する排出空気７４の流量は、部屋１２内の給気と排気のバランスによって変動する。
【００２６】
次に、図２及び図３を用いて、逆止ダンパ１８の構成について説明する。図２は、図１に示す逆止ダンパの概略構成を示す模式図である。図３は、図１に示す逆止ダンパの概略構成を示す斜視図である。
【００２７】
逆止ダンパ１８は、ケーシング５０と、流量調整機構５６と、を有する。ケーシング５０は、壁１２ａにはめ込まれた、断面が四角となり内部が空洞の箱形状の部材である。ケーシング５０は、一方の端部が室内空間２０に露出しており、他方の端部が室外空間２４に露出している。ケーシング５０は、室内空間２０側の面にフランジ５２が設けられ、室外空間２４側の面にフランジ５４が設けられている。ケーシング５０は、フランジ５２、５４と接続している面に、フランジ５２、５４の内径と同様の開口が形成されている。ケーシング５０は、箱形状の内部の空間がフランジ５２を介して室内空間２０と連結し、フランジ５４を介して室外空間２４と連結している。つまり、ケーシング５０は、内部の空洞部分で、室内空間２０と室外空間２４とを繋げている。さらにケーシング５０は、箱形状の壁１２ａと接触している面（フランジ５２とフランジ５４に挟まれた面、側面）の一部が壁１２ａよりも室内空間２０側に突出している。つまり、ケーシング５０は、箱の外表面の一部が室内空間２０に露出している。
【００２８】
流量調整機構５６は、逆止ダンパ１８、具体的にはケーシング５０の筒状の部材の内部の空間を介して、室内空間２０から室外空間２４に排出される空気の流量を調整する機構であり、羽根６０と、シャフト６２と、バランス調整部６４と、圧力差調整部６６と、ストッパ６８と、を有する。なお、図２において、バランス調整部６４と圧力差調整部６６とは、見えない面側に配置されているが説明のため実線で示す。
【００２９】
羽根６０は、ケーシング５０の内部に配置された板状の部材である。羽根６０は、外縁がケーシング内面に沿うような形状であり、図２及び図３にケーシングが矩形断面の場合の場合に、四角形となる羽根を示す。つまり、羽根６０は、ケーシング５０の内面の形状と同様（相似）の四角形（矩形）形状である。羽根６０は、自由に回転できるように、面積が最も大きい面が、空気が流れる方向に直交する面におけるケーシング５０の内部の空間の形状（ケーシング５０の内面の形状）より若干小さくなっている。羽根６０は、図２及び図３に実線で示す状態（空気を排出していない状態）では、板形状の面積が最も大きい面が、ケーシング５０の内面を塞いでいる。この状態では、ケーシング５０の内面のパッキンにより、羽根とケーシング間の隙間が完全に塞がれる。風圧により羽根が回転すると、パッキンと羽根間の隙間が増大し、空気が流れるようになる。
【００３０】
シャフト６２は、羽根６０をケーシング５０内で支持する棒状の部材である。シャフト６２は、羽根６０の鉛直方向上側の端部に連結されている。シャフト６２は、回転可能な状態でケーシング５０に支持されている。また、シャフト６２は、一部がケーシング５０の外側に露出されている。具体的には、シャフト６２は、ケーシング５０の外側の面のうち、室内空間２０に露出している部分に露出している。逆止ダンパ１８は、シャフト６２が回転すると羽根６０もシャフト６２と一体で回転する。
【００３１】
バランス調整部６４は、ケーシング５０の外側に露出している部分のシャフト６２に設けられている。つまり、バランス調整部６４は、ケーシング５０の外側の面のうち、室内空間２０に露出している部分に設けられている。バランス調整部６４は、シャフト６２を軸としたモーメントにおいて、羽根６０がシャフト６２に作用させるモーメントとつりあうモーメントを作用させる部材である。バランス調整部６４は、ウエイト支持部６４ａとバランスウエイト６４ｂ、６４ｃ、６４ｄとを有する。ウエイト支持部６４ａは、シャフト６２に固定された２枚の板状の部材と、バランスウエイト６４ｂ、６４ｃ、６４ｄを固定する棒状部材とを有する。ウエイト支持部６４ａは、２枚の板で棒状部材を支持し、さらに、棒状部材に挿入されたバランスウエイト６４ｂ、６４ｃ、６４ｄを挟み込むことで、バランスウエイト６４ｂ、６４ｃ、６４ｄを固定する。バランスウエイト６４ｂ、６４ｃ、６４ｄは、錘であり、ウエイト支持部６４ａに支持されている。バランスウエイト６４ｂ、６４ｃ、６４ｄは、穴が形成されており、当該穴にウエイト支持部６４ａの棒状部材が挿入されることで、所定の位置に支持される。
【００３２】
バランス調整部６４は、ウエイト支持部６４ａがシャフト６２を軸として、羽根６０が配置されている位置（羽根６０が伸びている方向）から１８０度回転した位置で、かつシャフト６２から一定距離離れた位置にバランスウエイト６４ｂ、６４ｃ、６４ｄを固定している。これにより、バランス調整部６４は、羽根６０と逆の向きに配置され、シャフト６２の回転時に羽根６０が作用させるモーメントを打ち消すモーメントを発生させる。これにより、流量調整機構５６は、羽根６０の角度によらず、羽根６０で発生するモーメントがバランス調整部６４で打ち消される状態となり、シャフト６２回りの回転において、羽根６０の荷重を無視できる状態となる。
【００３３】
圧力差調整部６６は、ケーシング５０の外側に露出している部分のシャフト６２に設けられている。つまり、圧力差調整部６６は、ケーシング５０の外側の面のうち、室内空間２０に露出して部分に設けられている。圧力差調整部６６は、シャフト６２を軸としたモーメントにおいて、ケーシング５０内を流れる空気が羽根６０に作用させるモーメントに対する抵抗となるモーメントを作用させる部材である。圧力差調整部６６は、ウエイト支持部６６ａと調整ウエイト６６ｂとを有する。ウエイト支持部６６ａは、シャフト６２に固定された板状の部材と、調整ウエイト６６ｂを固定するピンとを有する。ウエイト支持部６６ａは、板状の部材がシャフト６２を中心とする円形の部材であり、当該板状の部材にピンで調整ウエイト６６ｂを止めることで、シャフト６２を回転軸として、羽根６０とのなす角度を所定の角度、回転軸からの距離を所定の距離とすることができる。調整ウエイト６６ｂは、錘であり、ウエイト支持部６６ａに支持されている。調整ウエイト６６ｂは、穴が形成されており、当該穴にウエイト支持部６６ａのピンが挿入されることで、所定の位置に支持される。調整ウエイト６６ｂは、ウエイト支持部６６ａに固定される位置や、個数、重量を適宜調整することができる。
【００３４】
圧力差調整部６６は、ウエイト支持部６６ａがシャフト６２を軸として、羽根６０が配置されている位置（羽根６０が伸びている方向）とのなす角を所定の角度とし、かつシャフト６２から所定の距離離れた位置に調整ウエイト６６ｂを固定している。これにより、圧力差調整部６６は、ケーシング５０内を流れる空気が羽根６０に作用させるモーメントに対する抵抗となる。
【００３５】
ストッパ６８は、ケーシング５０を閉じる位置で羽根６０が支持されるように、羽根６０がケーシング５０を閉じる位置に移動したときの位置に、当該羽根６０がそれ以上回転しないように、つまり、羽根６０が室内空間２０側に回転しないように規制する規制部材である。ストッパ６８は、ケーシング５０の内周面に突出した突起状の部材であり、室外空間２４側の面が羽根６０と接触する。
【００３６】
逆止ダンパ１８は、給気手段１４及び排気手段１６が駆動していない場合、逆止ダンパ１８から空気が排出されないので、羽根６０に示す状態となり、羽根６０がケーシング５０の内部の空間を塞いだ状態となる。
【００３７】
逆止ダンパ１８は、給気手段１４及び排気手段１６が駆動し、室内空間２０の圧力が室外空間２４の圧力よりも高くなると、羽根６０の室内空間２０側の圧力が室外空間２４側の面の圧力よりも高くなり、羽根６０が室外空間２４側から押される。これにより、逆止ダンパ１８は、例えば羽根６０ａの位置まで回転する。羽根６０ａまで回転すると、羽根６０ａとケーシング５０との間に隙間が形成され、当該隙間を流れて、室内空間２０の空気が室外空間２４に排出される。このとき、シャフト６２周りのモーメントにおいて、空気の流れが羽根６０、６０ａに付与する力と、圧力差調整部６６が付与する力とがつりあうと、当該つりあいが取れた位置に羽根６０が支持される。また、逆止ダンパ１８は、室内空間２０の圧力と室外空間２４の圧力との差が大きくなると、羽根６０が開く角度が大きくなり、排出される空気の流量も多くなる。逆止ダンパ１８は、このように圧力差に応じて自動的（機械的構造で）に開度が変化するため、室内空間２０と室外空間２４との圧力差の変動を低減することができる。
【００３８】
また、逆止ダンパ１８は、調整ウエイトの位置や重量を調整することで、対応する圧力差の範囲を調整することができる。逆止ダンパ１８は、調整ウエイトの重量を重くするまたは、位置をシャフト６２から離すことでより大きな圧力差に対応することができる。逆止ダンパ１８は、以上のような構成である。
【００３９】
室内圧力保持システム１０は、給気手段１４の給気空気７０の流量Ｘ１と、排気手段１６の排出空気７２の流量Ｘ２との関係がＸ２＜Ｘ１となる。このように、室内圧力保持システム１０は、室内空間２０から排出される空気より室内空間２０に供給される空気を多くすることで、室内空間２０の圧力を高くすることができる。また、室内圧力保持システム１０は、室内空間２０の圧力に応じて羽根６０の位置が変動する機構の逆止ダンパ１８を設けることで、室内空間２０の圧力が高くなると、逆止ダンパ１８から排出される空気の量が増加し、室内空間２０の圧力が低くなると、逆止ダンパ１８から排出される空気の量が低減する。これにより、逆止ダンパ１８で自動的に圧力を調整できるため、給気手段１４や排気手段１６の駆動を制御しなくても、つまり流量を制御しなくても室内空間２０を正圧、つまり、室内空間２０の圧力を室外空間２４の圧力より高い状態に保持することができる。これにより、室外空間２４の空気が給気手段１４以外から室内空間２０に流入することを抑制することができる。また、室内空間２０の圧力が高くなると空気の流量も多くなるため、過正圧となることを抑制することができる。
【００４０】
具体的には、室内圧力保持システム１０は、扉１２ｄが開いた場合、扉１２ｄから室外空間２４に空気が排出され、空気が排出された分、室内空間２０の圧力が低下する。このように室内空間２０の圧力が低下すると、その分、逆止ダンパ１８から排出される空気の流量が自動的に低減する。逆止ダンパ１８から排出される空気が減少することで、室内空間２０から室外空間２４に排出される空気の流量の変動をより小さくすることができる。これにより室内空間２０と室外空間２４との圧力差の変動を小さくすることができる。また、室内空間２０の圧力が下がりすぎて、扉１２ｄから室外空間２４の空気が流入することを抑制することができる。また、逆止ダンパ１８は、室外空間２４から室内空間２０に空気が流れない構造であるので、扉１２ｄから排出される空気量が多い場合も、逆止ダンパ１８から排出される空気が自動的に０となり、扉１２ｄから空気が排出され続ける状態を維持することができる。扉１２ｄから空気が排出される状態を維持できることで、扉１２ｄから室外空間２４の空気が流入することを抑制することができる。
【００４１】
このように室内圧力保持システム１０は、室内空間２０の正圧を好適に維持することができ、逆止ダンパ１８により扉１２ｄの開閉や大気圧変動等の外乱の影響を緩和することができる。
【００４２】
また、室内圧力保持システム１０は、給気手段１４の給気空気７０の流量Ｘ１と、排気手段１６の排出空気７２の流量Ｘ２との関係がＸ２＜Ｘ１となる流量で給気手段１４と排気手段１６の条件を設定したら、その後、特に制御を行わないことが好ましい。つまり、給気手段１４及び排気手段１６は、予め設定された一定の条件で駆動されることが好ましい。室内圧力保持システム１０は、逆止ダンパ１８で内圧が自動的に調整されるため、室内空間２０の内部を正圧に維持することができる。これにより、室内圧力保持システム１０は、圧力差を検出するためのセンサを設けずに実現できるため、装置構成を簡単にすることができる。また、計測制御機器を使用していないため、これらの結果に基づいて駆動条件を調整する制御装置、例えばＤＣＳ（distributed control system、分散制御システム）等や、これらの計測装置や制御装置用の電源も必要なくなる。これにより、装置構成を簡単にすることができる。
【００４３】
室内圧力保持システム１０は、室内空間２０の圧力と室外空間２４の圧力との差の上限値を、給気送風機３０と排気送風機４０の流量の差と逆止ダンパ１８の口径（ケーシング５０の開口の大きさ）及び調整ウエイト６６ｂの位置及び重量で調整することができる。なお、給気送風機３０と排気送風機４０の流量の差と逆止ダンパ１８の口径（ケーシング５０の開口の大きさ）は、一度設定すると基本的に変動させないので、調整ウエイト６６ｂの位置及び重量で調整する。
【００４４】
また、室内圧力保持システム１０は、本実施系形態の逆止ダンパ１８のように圧力差調整部６６の圧力差を調整する機構を室内空間２０に露出した部分（部屋１２の内部）に設け、室内空間２０側から圧力差調整部６６で圧力差の設定（本実施形態では調整ウエイト６６ｂの位置、重量）を調整できることが好ましい。これにより、室外空間２４に出なくても圧力差を調整することができる。
【００４５】
なお、本実施形態では、逆止ダンパ１８の調整ウエイトの位置、重量を調整することで、逆止ダンパ１８が排出する空気の流量を調整することで調整する圧量差を設定したが、これに限定されない。逆止ダンパ１８は、機械的な機構で電気制御を行わずに圧力差を調整できる機構であれば圧力差調整部６６として用いることができる。
【００４６】
上記実施形態では、給気手段１４の給気送風機３０を１台としたが、これに限定されない。給気手段１４は、給気送風機３０を複数台備えていてもよい。給気手段１４は、複数台の給気送風機３０を備えることで、いずれか１台の給気送風機３０をメンテナンスや故障等で停止させている状態でも給気を継続することができる。これにより、部屋１２の室内空間２０をより確実に正圧に維持することができる。同様に、排気手段１６も排気送風機４０を複数台備えていてもよい。排気手段１６も排気送風機４０を複数台備えることで、いずれか１台の排気送風機４０をメンテナンスや故障等で停止させている状態でも給気を継続することができる。また、室内圧力保持システム１０は、駆動している給気送風機３０、排気送風機４０の台数が変化して、流量が変動した場合でも、逆止ダンパ１８で排出する空気の量が自動的に調整され、室内空間２０を正圧に維持することができる。
【００４７】
なお、上記実施形態では、部屋１２が、室内空間２０の圧力を室外空間２４の圧力よりも高く維持する必要がある部屋である場合として説明したがこれに限定されない。室内圧力保持システムは、部屋１２が、室内空間２０の圧力を室外空間２４の圧力よりも低く維持する必要がある部屋の場合も適用することができる。なお、この場合は、給気手段１４と排気手段１６との流量の大小関係を逆とし、逆止ダンパ１８が空気を流通させる方向を逆とする。つまり、給気手段１４の流量を排気手段１６の流量よりも少なくし、逆止ダンパ１８を室外空間２４から室内空間２０に向かう方向のみに空気を流通させるようにする。このような、構成とした場合も、室外空間２４と室内空間２０との圧力差に応じて、逆止ダンパ１８から流入する空気量を自動的に調整することができる。これにより、簡単な構成で室内空間２０を室外空間２４に対して負圧に維持することができる。
【符号の説明】
【００４８】
１０  室内圧力保持システム
１２  部屋
１２ａ  壁
１２ｂ  床
１２ｃ  天井
１２ｄ  扉
１４  給気手段
１６  排気手段
１８  逆止ダンパ
２０  室内空間
２４  室外空間
３０  給気送風機（送風機）
３２  給気口
３４、４４  配管
３６、４６  逆止弁
４０  排気送風機（排風機）
４２  排気口
５０  ケーシング
５２、５４  フランジ
５６  流量調整機構
６０、６０ａ  羽根
６２  シャフト
６４  バランス調整部
６４ａ、６６ａ  ウエイト支持部
６４ｂ、６４ｃ、６４ｄ  バランスウエイト
６６  圧力差調整部
６６ｂ  調整ウエイト
６８  ストッパ
７０  給気空気
７２、７４  排出空気
【図１】
2014119128.tif 000003
【図２】
2014119128.tif 000004
【図３】
2014119128.tif 000005